(57)【要約】【課題】  電子機器の充電器を活用して電子機器が位置する空間を把握する方法、その電子機器及び充電器を提供する。【解決手段】  一実施形態において、電子機器の空間把握方法は、室内の区画された複数の空間に配置された複数の充電器それぞれに関する識別情報を受信する段階、複数の充電器それぞれの無線通信信号の信号強度を基準として１つの充電器を選択する段階、選択された充電器に関する識別情報に含まれる空間種類識別子により、選択された充電器が配置された空間の種類を識別する段階、及び選択された充電器が配置された空間の種類を、電子機器が位置する空間の種類として決定する段階を含む。【選択図】      図１
2018205317.tif 000002
【特許請求の範囲】
【請求項１】
電子機器の空間把握方法であって、
室内の区画された複数の空間に配置された複数の充電器それぞれに関する識別情報を受信する段階、
前記複数の充電器それぞれの無線通信信号の信号強度を基準として１つの充電器を選択する段階、
前記選択された充電器に関する識別情報に含まれる空間種類識別子により、前記選択された充電器が配置された空間の種類を識別する段階、及び
前記選択された充電器が配置された空間の種類を、前記電子機器が位置する空間の種類として決定する段階
を含むことを特徴とする、空間把握方法。
【請求項２】
前記複数の充電器それぞれは、空間について互いに異なる複数の種類のうちから１つの種類を設定するためのユーザインタフェースを含み、前記ユーザインタフェースで設定された１つの種類を該当の充電器が配置された空間の種類として識別するための空間種類識別子を生成するように実現されることを特徴とする、請求項１に記載の空間把握方法。
【請求項３】
前記複数の充電器それぞれは、該当の充電器が生成した空間種類識別子を含む識別情報を生成し、前記電子機器に無線通信によって送信するように実現されることを特徴とする、請求項２に記載の空間把握方法。
【請求項４】
前記複数の充電器それぞれは、該当の充電器を識別するための情報である充電器識別子をユーザのモバイル機器に送信するように実現され、
前記ユーザのモバイル機器で、充電器識別子に対応する空間の種類が決定され、
前記モバイル機器又は前記モバイル機器とネットワークを介して通信するサーバで、前記決定された空間の種類を該当の充電器が配置された空間の種類として識別するための空間種類識別子が生成され、
前記モバイル機器又は前記サーバで、該当の充電器の充電器識別子と空間種類識別子を含む識別情報が生成され、前記電子機器に送信されることを特徴とする、請求項１に記載の空間把握方法。
【請求項５】
前記選択する段階は、
前記無線通信信号の信号強度が最も強い充電器を選択し、
前記決定する段階は、
前記識別情報に含まれた空間種類識別子を利用して前記選択された充電器が配置された空間の種類を、前記電子機器が位置する空間の種類として決定することを特徴とする、請求項１に記載の空間把握方法。
【請求項６】
空間の種類ごとにデフォルトとして予め設定された前記電子機器の環境設定値又は空間の種類ごとにユーザによって予め設定された前記電子機器の環境設定値をデータベースに格納及び管理する段階、
前記決定された空間の種類に対応する環境設定値を前記データベースから抽出する段階、及び
前記抽出された環境設定値に従って前記電子機器の環境設定を変更する段階
を含むことを特徴とする、請求項１に記載の空間把握方法。
【請求項７】
電子機器が、室内の区画された複数の空間に配置された複数の充電器のうちの１つの充電器と充電のために電気的に連結された場合、前記電気的に連結された充電器の識別情報に含まれる空間種類識別子を確認する段階、及び
前記確認された空間種類識別子によって識別される空間の種類を、前記電子機器が位置する空間の種類として決定する段階
を含むことを特徴とする、空間把握方法。
【請求項８】
室内の区画された複数の空間に配置された複数の充電器の充電器識別子を受信する段階、
前記受信された充電器識別子それぞれに対応する空間の種類を設定する段階、
前記受信された充電器識別子に対応する設定された空間の種類を互いに関連付けてデータベースに格納する段階、及び
前記複数の充電器のうちの第１充電器から受信される充電器識別子によって前記データベースを検索し、前記受信された第１充電器の充電器識別子に対応して設定された空間の種類を、前記第１充電器が配置された空間の種類として抽出する段階
を含むことを特徴とする、空間把握方法。
【請求項９】
コンピュータと結合して請求項１〜８のうちのいずれか一項に記載の方法をコンピュータに実行させる、コンピュータプログラム。
【請求項１０】
請求項１〜８のうちのいずれか一項に記載の方法をコンピュータに実行させるためのコンピュータプログラムが記録されていることを特徴とする、コンピュータで読み取り可能な記録媒体。
【請求項１１】
電子機器であって、
コンピュータで読み取り可能な命令を実行するように実現される少なくとも１つのプロセッサ
を含み、
前記少なくとも１つのプロセッサは、
室内の区画された複数の空間に配置された複数の充電器それぞれに関する識別情報を受信し、
前記複数の充電器それぞれの無線通信信号の信号強度を基準として１つの充電器を選択し、
前記選択された充電器に関する識別情報に含まれる空間種類識別子により、前記選択された充電器が配置された空間の種類を識別し、
前記選択された充電器が配置された空間の種類を、前記電子機器が位置する空間の種類として決定すること
を特徴とする、電子機器。
【請求項１２】
前記複数の充電器それぞれは、空間について互いに異なる複数の種類のうちから１つの種類を設定するためのユーザインタフェースを含み、前記ユーザインタフェースで設定された１つの種類を、該当の充電器が配置された空間の種類として識別するための空間種類識別子を生成するように実現されることを特徴とする、請求項１１に記載の電子機器。
【請求項１３】
前記複数の充電器それぞれは、該当の充電器を識別するための情報である充電器識別子をユーザのモバイル機器に送信するように実現され、
前記ユーザのモバイル機器で、充電器識別子に対応する空間の種類が決定され、
前記モバイル機器又は前記モバイル機器とネットワークを介して通信するサーバで、前記決定された空間の種類を該当の充電器が配置された空間の種類として識別するための空間種類識別子が生成され、
前記モバイル機器又は前記サーバで、該当の充電器に対する充電器識別子と空間種類識別子を含む識別情報が生成され、前記電子機器に送信されることを特徴とする、請求項１１に記載の電子機器。
【請求項１４】
前記少なくとも１つのプロセッサは、
前記無線通信信号の信号強度が最も強い充電器の識別情報に含まれる空間種類識別子を利用して前記選択された充電器が配置された空間の種類を、前記電子機器が位置する空間の種類として決定すること
を特徴とする、請求項１１に記載の電子機器。
【請求項１５】
前記少なくとも１つのプロセッサは、
空間の種類ごとにデフォルトとして予め設定された前記電子機器の環境設定値又は空間の種類ごとにユーザによって予め設定された前記電子機器の環境設定値をデータベースに格納及び管理し、
前記決定された空間の種類に対応する環境設定値を前記データベースから抽出し、
前記抽出された環境設定値に従って前記電子機器の環境設定を変更すること
を特徴とする、請求項１１に記載の電子機器。
【請求項１６】
電子機器の充電のための電力を提供する充電器であって、
空間について互いに異なる複数の種類のうちから１つの種類を設定するためのユーザインタフェース、
前記ユーザインタフェースで設定された種類に対応する空間種類識別子を含む識別情報を生成する識別情報生成部、及び
前記生成された識別情報を無線通信によって前記電子機器に送信する通信部
を備えることを特徴とする、充電器。
【請求項１７】
前記電子機器は、複数の充電器のうちで無線通信信号の信号強度が最も強い充電器を確認し、前記確認された充電器の識別情報に含まれる空間種類識別子を確認し、前記確認された空間種類識別子によって識別される空間の種類を、前記電子機器が位置する空間の種類として決定することを特徴とする、請求項１６に記載の充電器。
【発明の詳細な説明】
【技術分野】
【０００１】
以下の説明は、電子機器の充電器を活用して電子機器が位置する空間を把握する方法、その電子機器及び充電器に関する。さらに、以下の説明は、コンピュータと結合し、本発明の実施形態に係る空間把握方法をコンピュータに実行させるためのコンピュータプログラムとそのコンピュータプログラムを格納する記録媒体に関する。
【背景技術】
【０００２】
ホームネットワークサービスで利用される電子機器のように室内で駆動する電子機器は、室内で電子機器が位置する空間を把握する必要がある。例えば電子機器が、室内における自身の位置を決定することはもちろん、電子機器自身が位置している空間が「リビング」、「キッチン」、「寝室」などの空間のうちのどの種類に属するかに関する情報が求められることもある。
【０００３】
従来技術では、このような空間に関する情報を取得するために、カメラによって取得した映像を分析したり、センサを活用したり、電子機器が位置している空間の種類をユーザが直接設定したりしていた。例えば特許文献１は、カメラ基盤リアルタイム位置認識システム及びそのシステムを利用したリアルタイム位置認識方法について開示している。しかし、カメラを利用して空間の種類を把握する過程では、映像分析などのように比較的コストの高い処理が求められる上に、比較的長い時間も必要とされる。さらに、映像分析だけでは空間の種類を誤って認識する場合も存在する。これと同じように、センサを活用する方法でも、センシングされた情報から電子機器の位置を取得することはできても、取得した電子機器の位置から空間の種類までは判断し難いという問題がある。さらに、このような従来技術は、ユーザの引っ越しなどによって電子機器が他の室内に位置するようになったり、同じ室内でも電子機器の位置や空間に変更が生じたりする場合、空間の把握を最初からやり直さなければならないという問題も抱えている。ユーザが電子機器の空間に関する情報を直接入力する場合、電子機器が位置変更（一例として、電子機器を「リビング」から「寝室」に移動）するたびに新たな空間に関する情報を入力しなければならないという煩わしさがあった。
【先行技術文献】
【特許文献】
【０００４】
【特許文献１】韓国公開特許第１０−２０１０−００２６７７６号公報
【発明の概要】
【発明が解決しようとする課題】
【０００５】
電子機器の充電器を活用することで、電子機器が位置する空間を把握する空間把握方法を提供する。また、その電子機器と充電器、及びコンピュータと結合して本発明の実施形態に係る空間把握方法をコンピュータに実行させるコンピュータプログラムとそのコンピュータプログラムを格納する記録媒体を提供する。
【０００６】
室内の区画された複数の空間に配置された電子機器の複数の充電器それぞれが充電器の配置された空間の種類に関する情報を提供するようにすることで、複数の充電器が配置された空間を把握することができ、電子機器が、複数の充電器に対する無線通信信号の信号強度に基づいて、選択された充電器によって電子機器が位置する空間の種類を決定できるようにすることにより、電子機器の位置と電子機器が位置している空間の種類を即時に把握することができる技術を提供する。また、電子機器の位置が変更された場合でも、変更された電子機器が位置する空間の種類をリアルタイムで把握することができる技術も提供する。これだけでなく、引っ越しなどによって物理的な空間自体が変更された場合でも、充電器を各空間に設置するだけで、電子機器が自身の位置する空間の種類を直ぐに把握することができる技術を提供する。
【課題を解決するための手段】
【０００７】
本発明の一態様では、電子機器の空間把握方法であって、室内の区画された複数の空間に配置された電子機器の複数の充電器それぞれに関する識別情報を受信する段階、複数の充電器それぞれの無線通信信号の信号強度を基準として１つの充電器を選択する段階、選択された充電器の識別情報に含まれる空間種類識別子により、選択された充電器が配置された空間の種類を識別する段階、及び選択された充電器が配置された空間の種類を、電子機器が位置する空間の種類として決定する段階を含むことを特徴とする、空間把握方法を提供する。
【０００８】
本発明の別の態様では、電子機器が、室内の区画された複数の空間に配置された複数の充電器のうちの１つの充電器と充電のために電気的に連結される場合、電気的に連結された充電器の識別情報に含まれる空間種類識別子を確認する段階、及び確認された空間種類識別子によって識別される空間の種類を、電子機器が位置する空間の種類として決定する段階を含むことを特徴とする、空間把握方法を提供する。
【０００９】
本発明の別の態様では、室内の区画された複数の空間に配置された複数の充電器の充電器識別子を受信する段階、受信された充電器識別子それぞれに対応する空間の種類を設定する段階、受信された充電器識別子に対応する設定された空間の種類を互いに関連付けてデータベースに格納する段階、及び複数の充電器のうちの第１充電器から受信される充電器識別子によってデータベースを検索して、受信された第１充電器の充電器識別子に対応して設定された空間の種類を、第１充電器が配置された空間の種類として抽出する段階を含むことを特徴とする、空間把握方法を提供する。
【００１０】
本発明の別の態様では、空間把握方法をコンピュータに実行させるためのコンピュータプログラムが記録されていることを特徴とする、コンピュータで読み取り可能な記録媒体を提供する。
【００１１】
本発明の別の態様では、コンピュータと結合して前記空間把握方法をコンピュータに実行させる、コンピュータプログラムを提供する。
【００１２】
本発明の更なる態様では、電子機器であって、コンピュータで読み取り可能な命令を実行するように実現される少なくとも１つのプロセッサを含み、少なくとも１つのプロセッサは、室内の区画された複数の空間に配置された電子機器の複数の充電器それぞれに関する識別情報を受信し、複数の充電器それぞれの無線通信信号の信号強度を基準として１つの充電器を選択し、選択された充電器の識別情報に含まれる空間種類識別子によって選択された充電器が配置された空間の種類を識別し、選択された充電器が配置された空間の種類を電子機器が位置する空間の種類として決定することを特徴とする、電子機器を提供する。
【００１３】
本発明の更なる態様では、電子機器の充電のための電力を提供する充電器であって、空間について互いに異なる複数の種類のうちから１つの種類を設定するためのユーザインタフェース、ユーザインタフェースで設定された種類に対応する空間種類識別子を含む識別情報を生成する識別情報生成部、及び生成された識別情報を無線通信によって電子機器に送信する通信部を備えることを特徴とする、充電器を提供する。
【発明の効果】
【００１４】
本発明によれば、電子機器の充電器を活用することにより、電子機器が位置する空間を把握することができる。特に、電子機器の位置を把握するだけでなく、電子機器が位置する空間の種類までも把握することができる。
【００１５】
本発明によれば、電子機器の位置と電子機器が位置している空間の種類を即時に把握することができ、電子機器の位置が変更された場合でも、変更された電子機器が位置する空間の種類をリアルタイムで把握することができる。
【００１６】
本発明によれば、引っ越しなどによって物理的な空間自体が変更された場合でも、充電器を各空間に設置するだけで、電子機器が自身の位置する空間の種類を直ぐに把握することができる。
【図面の簡単な説明】
【００１７】
【図１】本発明の一実施形態における、電子機器の空間把握のための室内環境の例を示した図である。
【図２】本発明の一実施形態における、充電器が配置された空間の種類を設定するためのユーザインタフェースの例を示した図である。
【図３】本発明の一実施形態における、充電器が配置された空間の種類を設定するためのユーザインタフェースの他の例を示した図である。
【図４】本発明の一実施形態における、ユーザのモバイル機器を通じて識別情報を提供する例を示した図である。
【図５】本発明の一実施形態にける、サーバを通じて識別情報を提供する例を示した図である。
【図６】本発明の一実施形態における、充電器との連結によって空間の種類を把握する電子機器の例を示した図である。
【図７】本発明の一実施形態における、電子機器及びサーバの内部構成を説明するためのブロック図である。
【図８】本発明の一実施形態における、電子機器の空間把握方法の例を示したフローチャートである。
【図９】本発明の一実施形態における、充電器との連結によって空間の種類を把握する方法の例を示したフローチャートである。
【図１０】本発明の一実施形態における、決定された空間の種類に応じて環境設定を自動で調整する方法の例を示したフローチャートである。
【図１１】本発明の一実施形態における、電子機器が充電器の充電器識別子に対して空間の種類を設定する方法の示した図である。
【図１２】本発明の一実施形態における、充電器の内部構成の例を説明するためのブロック図である。
【発明を実施するための形態】
【００１８】
以下、実施形態について、添付の図面を参照しながら詳しく説明する。
【００１９】
本発明の実施形態に係る空間把握方法は、室内に位置する電子機器によって実行されてよい。このとき、電子機器には、本発明の一実施形態に係るコンピュータプログラムがインストール及び駆動されてよく、電子機器は、駆動するコンピュータプログラムの制御に従って本発明の一実施形態に係る空間把握方法を実行してよい。上述したコンピュータプログラムは、コンピュータによって実現される電子機器と結合し、空間把握方法をコンピュータに実行させるためにコンピュータで読み取り可能な記録媒体に格納されてよい。
【００２０】
このような電子機器の空間把握のために、室内に配置される複数の充電器が活用されてよい。複数の充電器それぞれは、電子機器の充電のための電力を提供するための物理的装置であってよい。
【００２１】
図１は、本発明の一実施形態における、電子機器の空間把握のための室内環境の例を示した図である。図１の平面図１００は、室内の区画された空間と空間それぞれの種類（リビング、キッチン、玄関、浴室、寝室など）を示している。また、平面図１００は、電子機器１１０が「リビング」に配置され、電子機器１１０の複数の充電器１２０、１３０、１４０、１５０がそれぞれ「リビング」、「寝室１」、「寝室２」、「寝室３」に配置された例を示している。
【００２２】
本実施形態において、電子機器１１０は、複数の充電器１２０、１３０、１４０、１５０それぞれと無線通信してよく、無線通信によって複数の充電器１２０、１３０、１４０、１５０それぞれから識別情報を受信してよい。このとき、識別情報は、Ｗｉ−ＦｉのＳＳＩＤ（Ｓｅｒｖｉｃｅ  Ｓｅｔ  Ｉｄｅｎｔｉｆｉｅｒ）のように、無線ネットワークで複数の充電器１２０、１３０、１４０、１５０が自身を識別するために送信する固有識別子の形態で送信されてよい。この場合、識別情報は、充電器を識別するための充電器識別子及び／又は充電器が配置された空間の種類を識別するための空間種類識別子を含んでよい。例えば第１充電器１２０、第２充電器１３０、第３充電器１４０及び第４充電器１５０の充電器識別子をそれぞれ「１１１」、「２２２」、「３３３」、「４４４」と仮定し、「リビング」、「寝室１」、「寝室２」、「寝室３」の空間種類識別子をそれぞれ「ＡＡＡ」、「ＢＢＢ」、「ＣＣＣ」、「ＤＤＤ」と仮定するとき、第１充電器１２０から受信される識別情報は、「１１１＿ＡＡＡ」のように、充電器識別子と空間種類識別子の両方を含む形態で生成されてよい。また、第２充電器１３０から受信される識別情報は「２２２＿ＢＢＢ」の形態、第３充電器１４０から受信される識別情報は「３３３＿ＣＣＣ」の形態、第４充電器１５０から受信される識別情報は「４４４＿ＤＤＤ」の形態でそれぞれ生成されてよい。ここで、電子機器１１０は、上述した空間種類識別子から空間の種類を把握できるように、空間種類識別子がもつ意味が予め定義されていてよい。
【００２３】
実施形態によっては、識別情報は、空間種類識別子だけを含んでもよい。例えば空間種類識別子「ＡＡＡ」は、「リビング」を識別すると同時に第１充電器１２０を識別する識別子として使用されてよい。この場合、電子機器１１０は、複数の充電器１２０、１３０、１４０、１５０を個別の充電器識別子として識別するよりも、「リビング」の充電器、「寝室１」の充電器などとして識別してよい。
【００２４】
この場合、電子機器１１０は、複数の充電器１２０、１３０、１４０、１５０それぞれから識別情報を受信することにより、どの充電器がどの種類の空間に配置されているかを把握してよい。例えば電子機器１１０は、識別情報「１１１＿ＡＡＡ」から、充電器識別子「１１１」を有する充電器である第１充電器１２０が「リビング」に配置されていることを把握してよい。識別情報が空間種類識別子だけを含む実施形態では、電子機器１１０は、空間種類識別子「ＡＡＡ」が含まれた識別情報を送信する充電器である第１充電器１２０が「リビング」に配置された充電器であることを把握してよい。
【００２５】
このとき、電子機器１１０は、複数の充電器それぞれの無線通信信号の信号強度を基準として１つの充電器を選択してよく、選択された充電器が配置された空間の種類を、電子機器１１０が位置する空間の種類として決定してよい。例えば電子機器１１０と特定の充電器との距離が近くても、壁のような障害物が存在する場合には、無線通信信号の信号強度が弱くなることもある。したがって、無線通信信号の信号強度が最も強い充電器が、電子機器１１０と同じ空間に位置する可能性が高いため、電子機器１１０は、無線通信信号の信号強度が最も強い充電器を選択してよく、選択された充電器と同じ空間に電子機器１１０が位置するものと判断してよい。図１の実施形態において、電子機器１１０が、無線通信信号の信号強度が最も強い充電器として第１充電器１２０を選択したとする。この場合、電子機器１１０の観点では、第１充電器１２０の識別情報である「１１１＿ＡＡＡ」を確認してよい。言い換えれば、電子機器１１０は、確認された識別情報「１１１＿ＡＡＡ」から空間種類識別子「ＡＡＡ」を取得することにより、電子機器１１０が位置する空間の種類が「リビング」であることを把握することができるようになる。
【００２６】
このように、本実施形態によると、電子機器１１０は、室内の区画された複数の空間に配置された充電器との通信により、電子機器１１０が位置する空間の種類に関する情報を取得することができるようになる。
【００２７】
電子機器１１０が位置する空間の種類に関する情報は、電子機器１１０の種類や電子機器１１０がユーザに提供するサービスに応じて多様に活用されてよい。例えば音声基盤の入力／出力インタフェースを通じてユーザに音声基盤サービスを提供するホームネットワークサービスの人工知能スピーカが考えられる。このような人工知能スピーカは、自身が現在位置する空間の種類により、ユーザの音声要請に対してより適した情報を提供することができるようになる。また、ロボット清掃機のような室内の空間を移動する機器が、自身が現在どの空間に位置しているかを把握できるようになり、多様な機器が自身の現在位置する空間の種類に応じて環境設定を自動で変更する実施形態が考えられる。
【００２８】
より具体的な例として、「寝室」に位置する人工知能スピーカは、「リビング」に位置する人工知能スピーカよりも相対的に低い音量で出力されるように環境設定が変更されてよく、「寝室」に位置するロボット清掃機は、「リビング」に位置するロボット清掃機よりもロボット清掃機の画面や発光部の輝度が低くなるように環境設定が変更されてよい。
【００２９】
他の例として、ユーザが特定の空間に関する情報を設定する場合が考えられる。ユーザが「寝室２」を子供部屋として設定した場合、電子機器１１０が「寝室２」に位置する場合には、アダルトコンテンツを提供しない、保護者のアカウントで登録された情報を提供しないなど、環境設定が変更されてよい。また、電子機器１１０は、「寝室２」で出力される音声をデフォルトで提供される音声からキャラクタの声に変更するように、環境設定が変更されてもよい。
【００３０】
図２は、本発明の一実施形態における、充電器が配置された空間の種類を設定するためのユーザインタフェースの例を示した図である。図２は、充電器の外部に実現されたダイヤル２１０の例を示している。ユーザは、このようなダイヤル２１０を回して該当の充電器が配置された空間の種類を設定してよい。例えば図２では、「リビング」に設定されている空間の種類を、ダイヤル２１０を回すことで「寝室１」に変更する例を示している。この場合、ダイヤル２１０を回す前は、充電器が「リビング」に対応する空間種類識別子である「ＡＡＡ」が含まれる識別情報を送信してよく、ダイヤル２１０を回した後には、充電器が「寝室１」に対応する空間種類識別子である「ＢＢＢ」が含まれる識別情報を送信してよい。
【００３１】
図３は、本発明の一実施形態における、充電器が配置された空間の種類を設定するためのユーザインタフェースの他の例を示した図である。図３は、充電器の外部に実現されたディスプレイ３１０とボタン３２０の例を示している。点線ボックス３３０は、ユーザがボタン３２０を押して空間の種類を変更する様子を仮想的に表示した例である。図３は、ユーザがボタン３２０を押すと、ディスプレイ３１０に表示された空間の種類が変更する実施形態について説明している。このとき、充電器が配置された空間の種類は、ディスプレイ３１０に現在表示されている空間の種類として設定されてよい。言い換えれば、図３は、ユーザが充電器の配置された空間の種類を「寝室２」から「寝室３」変更する例を意味していると言える。この場合、充電器は、「寝室３」に対応する空間種類識別子である「ＤＤＤ」が含まれる識別情報を送信してよい。
【００３２】
上述した実施形態に示された空間の種類は、発明の説明のための１つの実施形態に過ぎず、空間の種類は、さらに多様に設定されてもよい。例えば「ドレスルーム」、「浴室」、「洗濯室」などのように、多様な空間の種類がさらに含まれてもよい。このような空間の種類は、後述する実施形態に対しても適用可能である。
【００３３】
一方、上述した実施形態では、充電器が、充電器識別子と空間種類識別子を含む識別情報を生成して送信する例について説明した。この反面、充電器は、充電器識別子だけを送信することで、電子機器１１０、ユーザのモバイル機器及び／又はサーバを経て充電器識別子と空間種類識別子を含む識別情報が提供されてもよい。
【００３４】
図４は、本発明の一実施形態における、ユーザのモバイル機器を通じて識別情報を提供する例を示した図である。図４の平面図４００は、室内の区画された空間と空間それぞれの種類（リビング、キッチン、玄関、トイレ、寝室など）を示している。また、平面図４００は、電子機器１１０が「リビング」に配置され、電子機器１１０の複数の充電器１２０、１３０、１４０、１５０がそれぞれ「リビング」、「寝室１」、「寝室２」、「寝室３」に配置された例を示している。
【００３５】
本実施形態において、複数の充電器１２０、１３０、１４０、１５０それぞれは、充電器識別子を送信してよい。この場合、ユーザのモバイル機器４１０は、複数の充電器１２０、１３０、１４０、１５０から送信される充電器識別子を受信し、複数の充電器１２０、１３０、１４０、１５０を認識してよい。このとき、ユーザは、モバイル機器４１０で認識された複数の充電器１２０、１３０、１４０、１５０それぞれが配置された空間の種類を設定してよい。このために、モバイル機器４１０には、電子機器１１０及び複数の充電器１２０、１３０、１４０、１５０と関連するアプリケーションがインストール及び駆動されてよく、アプリケーションは、モバイル機器４１０を通じて複数の充電器１２０、１３０、１４０、１５０それぞれが配置された空間の種類を設定するための機能をユーザに提供してよい。
【００３６】
この場合、モバイル機器４１０は、前記機能によって設定された空間の種類に応じて充電器識別子にマッチングする空間種類識別子を生成してよく、図１を参照しながら説明した識別情報のように、充電器識別子と空間種類識別子を含む識別情報を複数の充電器１２０、１３０、１４０、１５０それぞれに対して生成してよい。また、モバイル機器４１０は、生成された識別情報を電子機器１１０に送信することにより、上述したように、電子機器１１０が無線通信信号の信号強度に基づいて電子機器１１０の配置された空間の種類を決定することができるようになる。
【００３７】
図５は、本発明の一実施形態における、サーバを通じて識別情報を提供する例を示した図である。図５の平面図５００は、室内の区画された空間と空間それぞれの種類（リビング、キッチン、玄関、トイレ、寝室など）を示している。また、平面図５００は、電子機器１１０が「リビング」に配置され、電子機器１１０の複数の充電器１２０、１３０、１４０、１５０がそれぞれ「リビング」、「寝室１」、「寝室２」、「寝室３」に配置された例を示している。
【００３８】
本実施形態において、複数の充電器１２０、１３０、１４０、１５０それぞれは、充電器識別子を送信してよい。この場合、ユーザのモバイル機器４１０は、複数の充電器１２０、１３０、１４０、１５０が送信する充電器識別子を受信し、複数の充電器１２０、１３０、１４０、１５０を認識してよい。このとき、ユーザは、モバイル機器４１０で認識された複数の充電器１２０、１３０、１４０、１５０それぞれが配置された空間の種類を設定してよい。このために、モバイル機器４１０には、電子機器１１０及び複数の充電器１２０、１３０、１４０、１５０と関連するアプリケーションがインストール及び駆動されてよく、アプリケーションは、モバイル機器４１０を通じて複数の充電器１２０、１３０、１４０、１５０それぞれが配置された空間の種類を設定するための機能をユーザに提供してよい。
【００３９】
この場合、モバイル機器４１０は、前記機能によって設定された空間の種類に応じて充電器識別子にマッチングする空間種類識別子を生成してよい。本実施形態において、モバイル機器４１０は、図１を参照しながら説明した識別情報のように、充電器識別子と空間種類識別子を含む識別情報を複数の充電器１２０、１３０、１４０、１５０それぞれに対して生成してよく、生成された識別情報を外部サーバ５１０に送信してよい。この場合、外部サーバ５１０は、受信された識別情報を格納及び管理してよく、受信された識別情報を電子機器１１０に送信してよい。したがって、上述したように、電子機器１１０が無線通信信号の信号強度に基づいて電子機器１１０の配置された空間の種類を決定することができるようになる。
【００４０】
このように、識別情報は、多様な方式によって複数の充電器１２０、１３０、１４０、１５０から電子機器１１０に伝達されることができ、電子機器１１０が自身の位置する空間の種類を決定するのに活用することができるようになる。
【００４１】
一方、他の実施形態において、電子機器１１０は、充電のために充電器と直接に連結することもある。この場合、電子機器１１０は、連結した充電器の空間の種類を、電子機器１１０が位置する空間の種類として決定してよい。
【００４２】
図６は、本発明の一実施形態における、充電器との連結によって空間の種類を把握する電子機器の例を示した図である。図６の平面図６００は、室内の区画された空間と空間それぞれの種類（リビング、キッチン、玄関、トイレ、寝室など）を示している。また、平面図６００は、電子機器１１０が「寝室１」に配置され、電子機器１１０の複数の充電器１２０、１３０、１４０、１５０がそれぞれ「リビング」、「寝室１」、「寝室２」、「寝室３」に配置された例を示している。
【００４３】
本実施形態では、電子機器１１０が「寝室１」にて第２充電器１３０と充電のために電気的に連結された例を示している。図６では、充電のための電気的な連結を点線矢印６１０で示している。この場合、電子機器１１０は、予め受信された識別情報から、電気的に連結された第２充電器１３０から電気的連結によって識別情報を受信して空間種類識別子を確認してよい。このとき、電子機器１１０は、確認された空間種類識別子が識別する空間の種類を、電子機器１１０の位置する空間の種類として決定してよい。言い換えれば、図１で説明した内容とは異なり、実施形態に係る電子機器１１０は、複数の充電器１２０、１３０、１４０、１５０それぞれから識別情報を受信する必要がなく、電気的に連結された充電器から識別情報を直接受信して電子機器１１０が位置する空間の種類を決定することもできるようになる。
【００４４】
図７は、本発明の一実施形態における、電子機器及びサーバの内部構成を説明するためのブロック図である。図７のサーバ７２０は、一例として、上述した外部サーバ５１０に対応してよい。一方、ユーザのモバイル機器４１０も、以下で説明される電子機器１１０の内部構成と同一又は類似の内部構成を含むように実現されてよい。
【００４５】
電子機器１１０及びサーバ７２０は、それぞれ、メモリ７１１、７２１、プロセッサ７１２、７２２、通信インタフェース７１３、７２３及び入力／出力インタフェース７１４、７２４を含んでよい。メモリ７１１、７２１は、コンピュータで読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、及びディスクドライブのような永久大容量記憶装置（ｐｅｒｍａｎｅｎｔ  ｍａｓｓ  ｓｔｏｒａｇｅ  ｄｅｖｉｃｅ）を含んでよい。ここで、ＲＯＭとディスクドライブのような永久大容量記憶装置は、メモリ７１１、７２１とは区別される別の永久記憶装置として電子機器１１０やサーバ７２０に含まれてもよい。また、メモリ７１１、７２１には、オペレーティングシステムと、少なくとも１つのプログラムコード（一例として、電子機器１１０にインストールされ、特定のサービスを提供するために電子機器１１０で駆動するアプリケーションなどのためのコード）が格納されてよい。このようなソフトウェア構成要素は、メモリ７１１、７２１とは別のコンピュータで読み取り可能な記録媒体からロードされてよい。このような別のコンピュータで読み取り可能な記録媒体は、フロッピー（登録商標）ドライブ、ディスク、テープ、ＤＶＤ／ＣＤ−ＲＯＭドライブ、メモリカードなどのコンピュータで読み取り可能な記録媒体を含んでよい。他の実施形態において、ソフトウェア構成要素は、コンピュータで読み取り可能な記録媒体ではない通信インタフェース７１３、７２３を通じてメモリ７１１、７２１にロードされてもよい。例えば少なくとも１つのプログラムは、開発者又はアプリケーションのインストールファイルを配布するファイル配布システムがネットワーク７３０を介して提供するファイルによってインストールされるコンピュータプログラム（一例として、上述したアプリケーション）に基づいて電子機器１１０のメモリ７１１にロードされてよい。
【００４６】
プロセッサ７１２、７２２は、基本的な算術、ロジック及び入出力演算を実行することにより、コンピュータプログラムの命令を処理するように構成されてよい。命令は、メモリ７１１、７２１又は通信インタフェース７１３、７２３によって、プロセッサ７１２、７２２に提供されてよい。例えばプロセッサ７１２、７２２は、メモリ７１１、７２１のような記録装置に格納されたプログラムコードに従って受信される命令を実行するように構成されてよい。
【００４７】
通信インタフェース７１３、７２３は、ネットワーク７３０を介して電子機器１１０とサーバ７２０とが互いに通信するための機能を提供してもよいし、電子機器１１０及び／又はサーバ７２０が他の電子機器（一例として、充電器やユーザのモバイル機器４１０）又は他のサーバと通信するための機能を提供してもよい。一例として、電子機器１１０のプロセッサ７１２がメモリ７１１のような記録装置に格納されたプログラムコードに従って生成した要求が、通信インタフェース７１３の制御に従ってネットワーク７３０を介してサーバ７２０に伝達されてよい。これとは逆に、サーバ７２０のプロセッサ７２２の制御に従って提供される制御信号や命令、コンテンツ、ファイルなどが、通信インタフェース７２３とネットワーク７３０を経て電子機器１１０の通信インタフェース７１３を通じて電子機器１１０で受信されてもよい。例えば通信インタフェース７１３を通じて受信したサーバ７２０の制御信号や命令、コンテンツ、ファイルなどは、プロセッサ７１２やメモリ７１１に伝達されてよく、コンテンツやファイルなどは、電子機器１１０がさらに含むことのできる格納媒体（上述した永久記憶装置）に格納されてよい。
【００４８】
入力／出力インタフェース７１４は、入力／出力装置７１５とのインタフェースのための手段であってよい。例えば入力装置は、マイク、キーボード又はマウスなどの装置を含んでよく、出力装置は、ディスプレイ、スピーカのような装置を含んでよい。他の例として、入力／出力インタフェース７１４は、タッチスクリーンのように入力と出力のための機能が１つに統合された装置とのインタフェースのための手段であってもよい。入力／出力装置７１５は、電子機器１１０と１つの装置で構成されてもよい。また、サーバ７２０の入力／出力インタフェース７２４は、サーバ７２０と連結するか、サーバ７２０が含むことのできる入力又は出力のための装置（図示せず）とのインタフェースのための手段であってもよい。
【００４９】
また、他の実施形態において、電子機器１１０及びサーバ７２０は、図７の構成要素よりも少ないか多くの構成要素を含んでもよい。しかし、大部分の従来技術的構成要素を明確に図に示す必要はない。例えば電子機器１１０は、上述した入力／出力装置７１５のうちの少なくとも一部を含むように実現されてもよいし、トランシーバ、ＧＰＳ（Ｇｌｏｂａｌ  Ｐｏｓｉｔｉｏｎｉｎｇ  Ｓｙｓｔｅｍ）モジュール、カメラ、各種センサ、データベースなどのような他の構成要素をさらに含んでもよい。より具体的な例として、電子機器１１０がスマートフォンである場合、一般的にスマートフォンに含まれる加速度センサやジャイロセンサ、カメラモジュール、物理的な各種ボタン、タッチパネルを利用したボタン、入力／出力ポート、振動のための振動器などのような多様な構成要素が電子機器１１０にさらに含まれるように実現されてよい。
【００５０】
図８は、本発明の一実施形態における、電子機器の空間把握方法の例を示したフローチャートである。本実施形態に係る空間把握方法は、上述した電子機器１１０のようなコンピュータ装置によって実行されてよい。このとき、電子機器１１０のプロセッサ７１２は、メモリ７１１が含むオペレーティングシステムのコードや、少なくとも１つのプログラムのコードによる制御命令（ｉｎｓｔｒｕｃｔｉｏｎ）を実行するように実現されてよい。ここで、プロセッサ７１２は、電子機器１１０に格納されたコードにより提供される制御命令に従って電子機器１１０が図８の空間把握方法が含む段階８１０〜段階８５０を実行するように電子機器１１０を制御してよい。
【００５１】
段階８１０において、電子機器１１０は、室内の区画された複数の空間に配置された複数の充電器それぞれに関する識別情報を受信してよい。上述したように、識別情報は、該当の充電器が配置された空間の種類を識別するための空間種類識別子を含んでよく、実施形態によっては、充電器を識別するための充電器識別子をさらに含んでもよい。空間種類識別子は、充電器又は上述したモバイル機器４１０を利用してユーザが直接設定してよく、識別情報は、充電器それぞれ又はモバイル機器４１０や外部サーバ５１０を経て電子機器１１０に送信されてよい。
【００５２】
例えば複数の充電器それぞれは、空間に対する互いに異なる複数の種類のうちから１つの種類を設定するためのユーザインタフェースを含み、ユーザインタフェースで設定された１つの種類を該当の充電器が配置された空間の種類として識別するための空間種類識別子を生成するように実現されてよい。
【００５３】
一実施形態において、複数の充電器それぞれは、該当の充電器を識別するための情報である充電器識別子と該当の充電器が生成した空間種類識別子とを含む識別情報を生成し、電子機器１１０に無線通信によって送信するように実現されてよい。
【００５４】
他の実施形態として、複数の充電器それぞれは、該当の充電器を識別するための情報である充電器識別子をユーザのモバイル機器（一例として、上述したモバイル機器４１０）に送信するように実現され、ユーザのモバイル機器で充電器識別子に対応する空間の種類が決定されてよい。この場合、モバイル機器又はモバイル機器とネットワークを介して通信するサーバ（一例として、上述した外部サーバ５１０）で決定された空間の種類を該当の充電器が配置された空間の種類として識別するための空間種類識別子が生成されてよい。また、モバイル機器又はサーバで該当の充電器に対する充電器識別子と空間種類識別子を含む識別情報が生成され、電子機器１１０に送信されてよい。
【００５５】
段階８２０において、電子機器１１０は、複数の充電器それぞれの無線通信信号の信号強度を基準として１つの充電器を選択してよい。例えば電子機器１１０は、無線通信信号の信号強度が最も強い充電器を選択してよい。
【００５６】
段階８３０において、電子機器１１０は、選択された充電器に関する識別情報に含まれる空間種類識別子により、選択された充電器が配置された空間の種類を識別してよい。空間種類識別子は、上述したように、該当の充電器が配置された空間の種類を識別するための情報であってよい。このような空間種類識別子を生成する実施形態については上述で詳しく説明したため、繰り返される説明は省略する。
【００５７】
段階８４０において、電子機器１１０は、選択された充電器が配置された空間の種類を、電子機器１１０が位置する空間の種類として決定してよい。この場合、電子機器１１０は、選択された充電器の識別情報に含まれる空間種類識別子によって、選択された充電器が配置される空間の種類を、電子機器１１０が位置する空間の種類として決定してよい。決定された空間の種類は、電子機器１１０がユーザに情報やサービスを提供するのに活用されたり、電子機器１１０の環境設定を自動で変更するのに活用されたりしてよい。
【００５８】
一方、充電器の無線通信信号の信号強度がすべて微弱（一例として、予め設定された第１閾値以下）であるか、あるいは電子機器１１０がＡＰ（Ａｃｃｅｓｓ  Ｐｏｉｎｔ）と連結するＷｉ−Ｆｉ信号強度が十分に強い（一例として、予め設定された第２閾値以上）場合は、充電器が配置されていない空間として認識するか、あるいはＡＰが配置された空間を電子機器１１０が位置する空間として任意に設定してもよい。また、一般的な居住環境を考慮した上で、「リビング」のような一般的な空間を、電子機器１１０の空間として任意に設定してもよい。
【００５９】
図９は、本発明の一実施形態における、充電器との連結によって空間の種類を把握する方法の例を示したフローチャートである。図９の段階９１０〜段階９３０は、電子機器１１０によって図８の段階８１０〜段階８５０と並列して実行されてよい。例えば図９の実施形態は、図８の実施形態とは区別される別の実施形態として実行されてもよい。
【００６０】
段階９１０において、電子機器１１０は、電子機器１１０が複数の充電器のうちの１つの充電器と充電のために電気的に連結された場合、電気的に連結された充電器の識別情報を電気的連結によって受信してよい。例えば充電器は、一般的なＵＳＢ端子やミニ５ピンタイプのＵＳＢ端子などを介して電子機器１１０と電気的に連結されてよく、このような電気的連結によって識別情報を電子機器１１０に送信してよい。
【００６１】
段階９２０において、電子機器１１０は、受信された識別情報に含まれる空間種類識別子を確認してよい。上述したように、識別情報は、空間種類識別子を含んでよく、実施形態によっては、充電器の識別のための別の充電器識別子をさらに含んでもよい。電子機器１１０は、このような電気的連結によって受信された識別情報から空間種類識別子を抽出してよい。
【００６２】
段階９３０において、電子機器１１０は、確認された空間種類識別子により識別される空間の種類を、電子機器１１０が位置する空間の種類として決定してよい。上述したように、空間種類識別子は、該当する充電器が配置された空間の種類を識別してよい。電子機器１１０は、このような確認された空間種類識別子によって識別される空間の種類を、電子機器１１０が位置する空間の種類として決定してよい。
【００６３】
図１０は、本発明の一実施形態における、決定された空間の種類に応じて環境設定を自動で調整する方法の例を示したフローチャートである。
【００６４】
段階１０１０において、電子機器１１０は、空間の種類ごとにデフォルトとして予め設定された電子機器１１０の環境設定値、又は空間の種類ごとにユーザによって予め設定された電子機器１１０の環境設定値を、データベースに格納及び管理してよい。例えば電子機器１１０は、「リビング」、「キッチン」、「寝室」などのように、空間の種類ごとに互いに異なる画面又は発光部の輝度値をデフォルト値として管理してよい。他の例として、ユーザは、「リビング」、「キッチン」、「寝室」などのように、空間の種類ごとに互いに異なる最大出力音量の大きさを予め設定するか、あるいは「寝室２」の利用者を「子供」や「両親」などに設定し、このような利用者に応じて「寝室２」で提供されるコンテンツを制限するか、利用者に応じて「寝室２」で出力される電子機器１１０の音声を特定のキャラクタの声に指定することのように、多様な環境設定値を予め設定してよい。このように、空間の種類に応じて設定可能な環境設定値は、電子機器１１０の種類や電子機器１１０が提供可能なサービスに応じて極めて多様に設定可能であることは、当業者であれば、上述した本発明の実施形態から容易に理解することができるであろう。例えば電子機器１１０がユーザの音声要請に応じて音声返答を提供する人工知能スピーカである場合、検索と関連する環境設定が、空間の種類に応じて変更されてもよい。このような段階１０１０は、図８の段階８５０や図９の段階９３０のように、電子機器１１０が位置する空間の種類が決定される前に実行されてよい。
【００６５】
段階１０２０において、電子機器１１０は、決定された空間の種類に対応する環境設定値をデータベースから抽出してよい。電子機器１１０は、決定された空間の種類によってデータベースを検索し、該当の空間の種類とマッチングして、格納されている環境設定値を抽出してよい。このとき、１つの空間の種類に対して多様な種類の環境設定値のマッチングが可能であることは、容易に理解することができるであろう。
【００６６】
段階１０３０において、電子機器１１０は、抽出された環境設定値に応じて電子機器１１０の環境設定を変更してよい。このように、本実施形態によると、電子機器１１０は、充電器によって自動で把握される空間の種類に応じ、該当の空間の種類に適した環境設定値を自動で変更することができるようになる。
【００６７】
他の実施形態において、電子機器１１０は、充電器の充電器識別子に空間の種類を対応させて設定及び活用してもよい。
【００６８】
図１１は、本発明の一実施形態における、電子機器が充電器の充電器識別子に対して空間の種類を設定する方法の例を示した図である。
【００６９】
段階１１１０において、電子機器１１０は、室内の区画された複数の空間に配置された複数の充電器についての充電器識別子を受信してよい。
【００７０】
段階１１２０において、電子機器１１０は、受信された充電器識別子それぞれに対応する空間の種類を設定してよい。例えば電子機器１１０は、充電器識別子それぞれに対応する空間の種類を設定するための機能をユーザに提供してよい。
【００７１】
段階１１３０において、電子機器１１０は、受信された充電器識別子と対応する設定された空間の種類を互いに関連付けてデータベースに格納してよい。例えば充電器識別子「１１１」と対応する空間の種類「リビング」を互いに関連付けてデータベースに格納してよい。
【００７２】
上述した段階１１１０〜段階１１３０は、電子機器１１０が充電器識別子別に空間の種類を設定する前処理過程であってよく、以後の段階１１４０は、設定された充電器識別子別の空間の種類を活用する過程であってよい。
【００７３】
段階１１４０において、電子機器１１０は、複数の充電器のうちの第１充電器から受信される充電器識別子によってデータベースを検索し、受信された第１充電器の充電器識別子に対応して設定された空間の種類を、第１充電器が配置された空間の種類として抽出してよい。一例として、無線通信信号の信号強度に基づき、複数の充電器のうちの第１充電器の信号強度が最も強いと決定された場合、電子機器１１０は、第１充電器の充電器識別子をデータベースから検索した後、第１充電器が配置された空間の種類が「リビング」である場合、これに基づいて電子機器１１０が位置する空間の種類を「リビング」として把握してよい。電子機器１１０の位置が移動することによって信号強度が最も強い充電器が第１充電器から第２充電器に変化した場合、電子機器１１０は、第２充電器の充電器識別子に従ってデータベースを検索することによって第２充電器が配置された空間の種類を把握してよく、把握された空間の種類を、電子機器１１０が移動した位置による空間の種類として決定してよい。
【００７４】
図１２は、本発明の一実施形態における、充電器の内部構成の例を説明するためのブロック図である。図１２の実施形態に係る充電器１２００は、図１２に示すように、ユーザインタフェース１２１０、識別情報生成部１２２０及び通信部１２３０を備えてよい。
【００７５】
ユーザインタフェース１２１０は、空間について互いに異なる複数の種類のうちから１つの種類を設定してよい。上述した図２及び図３では、充電器１１００が含むことのできる互いに異なる種類のユーザインタフェースについて説明した。
【００７６】
識別情報生成部１２２０は、充電器を識別するための充電器識別子及び／又はユーザインタフェース１２１０で設定された種類に対応する空間種類識別子を含む識別情報を生成してよい。充電器識別子、空間種類識別子及び識別情報については、上述で詳しく説明したため、繰り返される説明は省略する。
【００７７】
通信部１２３０は、生成された識別情報を無線通信によって電子機器に送信してよい。図１２に示す充電器１２００のような内部構成を有する複数の充電器（一例として、上述した複数の充電器１２０、１３０、１４０、１５０）が存在してよく、電子機器は、上述した電子機器１１０に対応してよい。この場合、電子機器１１０は、複数の充電器のうちで無線通信信号の信号強度が最も強い充電器を確認し、確認された充電器の識別情報に含まれる空間種類識別子を確認し、確認された空間種類識別子によって識別される空間の種類を、電子機器１１０が位置する空間の種類として決定してよい。また、決定された空間の種類は、空間に適した情報やサービスを提供したり、電子機器１１０の環境設定値を変更したりするなどの多様な観点で活用されてよい。
【００７８】
このように、本実施形態によると、電子機器の充電器を活用することにより、電子機器が位置する空間を把握することができる。特に、電子機器の位置を把握するだけでなく、電子機器が位置する空間の種類を把握することができる。また、電子機器の位置と電子機器が位置している空間の種類を即時に把握することができ、電子機器の位置が変更された場合でも、変更された電子機器が位置する空間の種類をリアルタイムで把握することができる。さらに、引っ越しなどによって物理的な空間自体が変更された場合でも、充電器を各空間に設置するだけで、電子機器が自身の位置する空間の種類を直ぐに把握することができる。
【００７９】
上述したシステム又は装置は、ハードウェア構成要素、ソフトウェア構成要素又はハードウェア構成要素とソフトウェア構成要素との組み合わせによって実現されてよい。例えば実施形態で説明された装置及び構成要素は、例えばプロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ又は命令を実行して応答することができる様々な装置のように、１つ以上の汎用コンピュータ又は特殊目的コンピュータを利用して実現されてよい。処理装置は、オペレーティングシステム（ＯＳ）及び前記ＯＳ上で実行される１つ以上のソフトウェアアプリケーションを実行してよい。また、処理装置は、ソフトウェアの実行に応答し、データにアクセスし、データを格納、操作、処理及び生成してもよい。理解の便宜のために、１つの処理装置が使用されるとして説明される場合もあるが、当業者は、処理装置が複数個の処理要素及び／又は複数の種類の処理要素を含んでもよいことが理解できるであろう。例えば処理装置は、複数個のプロセッサ又は１つのプロセッサ及び１つのコントローラを含んでよい。また、並列プロセッサのような、他の処理構成も可能である。
【００８０】
ソフトウェアは、コンピュータプログラム、コード、命令、又はこれらのうちの１つ以上の組み合わせを含んでもよく、所望のとおりに動作するように処理装置を構成したり、独立的又は集合的に処理装置に命令したりしてよい。ソフトウェア及び／又はデータは、処理装置に基づいて解釈されたり、処理装置に命令又はデータを提供したりするために、いかなる種類の機械、コンポーネント、物理的装置、仮想装置、コンピュータ格納媒体又は装置に具現化されてよい。ソフトウェアは、ネットワークによって接続されたコンピュータシステム上に分散されてよく、分散された状態で格納されても実行されてもよい。ソフトウェア及びデータは、１つ以上のコンピュータで読み取り可能な記録媒体に格納されてよい。
【００８１】
実施形態に係る方法は、多様なコンピュータ手段によって実行可能なプログラム命令の形態で実現されてコンピュータで読み取り可能な媒体に記録されてよい。コンピュータで読み取り可能な媒体は、プログラム命令、データファイル、データ構造などを単独又は組み合わせて含んでよい。媒体は、コンピュータによって実行可能なプログラムを継続して格納するものであっても、実行又はダウンロードのために一時的に格納するものであってもよい。また、媒体は、単一又は複数個のハードウェアが結合した形態の多様な記録手段又は格納手段であってよいが、あるコンピュータシステムに直接接続する媒体に限定されてはならず、ネットワーク上に分散存在するものであってもよい。媒体の例としては、ハードディスク、フロッピー（登録商標）ディスク及び磁気テープのような磁気媒体、ＣＤ−ＲＯＭ及びＤＶＤのような光媒体、フロプティカルディスク（ｆｌｏｐｔｉｃａｌ  ｄｉｓｋ）のような光磁気媒体、及びＲＯＭ、ＲＡＭ、フラッシュメモリなどを含んでプログラム命令語が格納されるように構成されたものであってよい。また、他の媒体の例として、アプリケーションを流通するアプリストアやその他の多様なソフトウェアを供給ないし流通するサイト、サーバなどで管理する記録媒体ないし格納媒体が挙げられてもよい。プログラム命令の例には、コンパイラによって生成されるような機械語コードだけでなく、インタプリタなどを利用してコンピュータによって実行されることの可能な高級言語が含まれる。
【００８２】
以上のように、実施形態を、限定された実施形態と図面に基づいて説明したが、当業者であれば、上述した記載から多様な修正及び変形が可能であろう。例えば説明された技術が、説明された方法とは異なる順序で実行されたり、かつ／あるいは、説明されたシステム、構造、装置、回路などの構成要素が、説明された方法とは異なる形態で結合されたり又は組み合わされたり、他の構成要素又は均等物によって代替されたり置換されたとしても、適切な結果を達成することができる。
【００８３】
したがって、異なる実施形態であっても、特許請求の範囲と均等なものであれば、添付される特許請求の範囲に属する。
【符号の説明】
【００８４】
１２００：充電器
１２１０：ユーザインタフェース
１２２０：識別情報生成部
１２３０：通信部
【図１】
2018205317.tif 000003
【図２】
2018205317.tif 000004
【図３】
2018205317.tif 000005
【図４】
2018205317.tif 000006
【図５】
2018205317.tif 000007
【図６】
2018205317.tif 000008
【図７】
2018205317.tif 000009
【図８】
2018205317.tif 000010
【図９】
2018205317.tif 000011
【図１０】
2018205317.tif 000012
【図１１】
2018205317.tif 000013
【図１２】
2018205317.tif 000014